(57)【要約】【課題】  異なる大きさ及び形状の手動器具特に例えばナイフのような手動工具を確実に収容でき、更に比較的簡単な構造形状を可能にするように、筒形のケースを構成する。【解決手段】  ケース本体（Ｋ）は、ケース（１０）を衣服部分等へ取付ける保持手段（１７）を外側に持ち、その上端部範囲（２０）に手動器具用の差込み開口（２３）を持ち、上端部範囲（２０）から遠い方の下端部範囲（２１）にケース底（２５）を持ち、上端部範囲（２０）と下端部範囲（２１）との間に、側方にケース空所（１５）へ凸に突出して縦軸線が上端部範囲（２０）と下端部範囲（２１）との間に延びかつ手動器具を押す板ばねを持っている。上ばね端部（３３）を上端部範囲（２０）においてつながれかつ下ばね端部（３４）を下端部範囲（２１）でつながれるそれぞれ１つの板ばね（２６，２７，２８）が、ケース壁範囲に代わっている。【選択図】  図１
2004243517.tif 000002
【特許請求の範囲】
【請求項１】
手動器具を収容するための筒形のケースであって、ケース本体（Ｋ）を持ち、このケース本体（Ｋ）が、ケース（１０）を衣服部分等へ取付ける保持手段（１７）を外側に持ち、その上端部範囲（２０）に手動器具用の差込み開口（２３）を持ち、上端部範囲（２０）から遠い方の下端部範囲（２１）にケース底（２５）を持ち、上端部範囲（２０）と下端部範囲（２１）との間に、側方にケース空所（１５）へ凸に突出して縦軸線が上端部範囲（２０）と下端部範囲（２１）との間に延びかつ手動器具を押す板ばねを持っているものにおいて、上ばね端部（３３）を上端部範囲（２０）においてつながれかつ下ばね端部（３４）を下端部範囲（２１）でつながれるそれぞれ１つの板ばね（２６，２７，２８）が、ケース壁範囲に代わりかつ／又はこれを形成していることを特徴とする、筒形のケース。
【請求項２】
ケース空所（１５）に沿ってそれぞれ互いに角をなして設けられかつ縦間隙（３５）により互いに離されている複数の壁範囲（１３；２６，２７，２８）がケース空所（１５）を区画していることを特徴とする、請求項１に記載の筒形のケース。
【請求項３】
複数のケース壁範囲がそれぞれ板ばね（２６，２７，２８）により形成されていることを特徴とする、請求項２に記載の筒形のケース。
【請求項４】
上端部範囲（２０）、下端部範囲（２１）及びケース壁範囲（１３；２６，２７，２８）が、物質的につながりかつケース壁（２６，２７，２８）に関して固有ばね特性を持つ一体のプラスチック射出成形体（Ｋ）を形成していることを特徴とする、請求項１〜３の１つに記載の筒形のケース。
【請求項５】
外側に保持手段（１７）を形成するケース壁範囲（１３）が比較的固有安定に構成されていることを特徴とする、請求項１〜４の１つに記載の筒形のケース。
【請求項６】
ケース本体（Ｋ）の上端部範囲（２０）が枠（２４）を形成し、この枠（２４）がすべてのケース壁範囲（１３；２６，２７，２８）を互いに結合し、この枠においてすべての板ばね（２６，２７，２８）がつながれていることを特徴とする、請求項１〜５の１つに記載の筒形のケース。
【請求項７】
ケース本体（Ｋ）の下端部範囲（２１）がケース底（２５）により形成され、このケース底（２５）がすべてのケース壁範囲（１３；２６，２７，２８）を互いに結合し、このケース底（２５）においてすべての板ばね（２６，２７，２８）がつながれていることを特徴とする、請求項１〜６の１つに記載の筒形のケース。
【発明の詳細な説明】
【技術分野】
【０００１】  本発明は、請求項１の上位概念に記載の手動器具特に例えばナイフのような手動工具を収容するための筒形のケースに関する。
【背景技術】
【０００２】  このような筒形のケースはドイツ連邦共和国特許出願公開第２５０５３６６号明細書に記載されている。この刊行物により公知の筒形のケースは、ナイフの収容のために用いられる。その上端部範囲に設けられるナイフ差込み開口に隣接して、ケース空所内で幅の広いケース壁の内面に板ばねが設けられ、その凸な側が他の幅の広いケース壁の内面に面している。板ばねはその上端部範囲により屈曲部を形成し、この屈曲部が幅の広いケース壁を外方へ貫通している。板ばね装置の外方へ導かれる残りの部分は変形されて、例えば長靴のような衣服片へ取出し可能に設けるためのクリップを形成している。【０００３】  ケース空所へ突出する板ばねの凸な部分は、差込まれるナイフの刃へ側方圧力を及ぼし、この圧力がケースからナイフの予期しない滑り出しを防止する。【０００４】  ドイツ連邦共和国特許出願公開第２５０５３６６号明細書から公知の筒形のケースは、特に特定のナイフの大きさ及び形状に合わされている。
【発明の開示】
【発明が解決しようとする課題】
【０００５】  ドイツ連邦共和国特許出願公開第２５０５３６６号明細書による筒形のケースから出発して、本発明の基礎になっている課題は、このケースが異なる大きさ及び形状の手動器具特に例えばナイフのような手動工具を確実に収容でき、更に比較的簡単な構造形状を可能にするように、筒形のケースを構成することである。
【課題を解決するための手段】
【０００６】  この課題は、請求項１の特徴に従って、上ばね端部を上端部範囲においてつながれかつ下ばね端部を下端部範囲でつながれるそれぞれ１つの板ばねが、ケース壁範囲に代わりかつ／又はこれを形成していることによって解決される。【０００７】  本発明により、まず簡単な構造形状が与えられる。なぜならば、板ばねが同時に少なくとも１つのケース壁範囲に代わっているからである。【０００８】  本発明によりケース壁範囲に代わりかつケース本体の上端部範囲及び下端部範囲においてつながれる板ばねは、ケース本体の最大の長さ範囲にわたって延び、ケース本体の縦軸線に対して横向きに大きいばね行程を可能にする。これにより異なる厚さの手動器具特にナイフの保持を可能にする。【０００９】    本発明による筒形のケースの板ばねは、ケース本体の上端部範囲でその上端部とつながれ、ケース本体の下端部範囲でその下端部とつながれているので、本発明による装置は、既に述べた有利な大きいばね行程を介して大きい戻し力を可能にし、この戻し力が、ケース空所に収容される手動器具の確実な保持を保証する。このような確実な保持は、はまり合い結合又は摩擦結合又ははまり合い結合と摩擦結合の組合わせによって行うことができる。【００１０】  本発明の別の構成では、ケース空所に沿ってそれぞれ互いに角をなして設けられかつ縦間隙により互いに離されている複数の壁範囲がケース空所を区画している。本発明によるこのような筒形のケースは、その板ばねにより、ケース空所に収容される手動器具を、実際上すべての縦面の周りで可撓的に包囲する。従ってこのような筒形のケースにより、異なる形状及び体積の手動器具を確実に収容することができる。【００１１】  本発明による特に好ましい実施形態は、上端部範囲、下端部範囲及びケース壁範囲が、物質的につながりかつケース壁範囲に関して固有ばね特性を持つ一体のプラスチック射出成形体即ちケース本体を形成していることである。このような射出成形体を製造するため、例えばポリプロピレンのような比較的多くのプラスチックが適している。この場合材料の選択、板ばね特に凸に突出する板ばね隆起の奥行きの形状構成、及び板ばねの厚さ及び幅により本発明はケース空所への手動工具の確実な収容のために必要な保持力の設定を可能にする。【００１２】  他方本発明は、凸に突出する板ばね隆起を持たないケース壁範囲も同様に弾性的に可撓的に構成することも可能にする。例えば筒形のケースを衣服部分等に取外し可能に取付ける保持手段を外側に持つケース壁範囲が直線状に延び、更に比較的固有安定に構成されているのが好都合である。【００１３】  特に一体のプラスチック射出成形体を形成するケース本体の形成に用いられる本発明の構成は、本発明の別の構成において、ケース本体の上端部範囲が枠を形成し、この枠がすべてのケース壁範囲を互いに結合し、この枠においてすべての板ばねがつながれていること、及びケース本体の下端部範囲がケース底により形成され、このケース底がすべてのケース壁範囲を互いに結合し、このケース底においてすべての板ばねがつながれていることを特徴としている。その際板ばね端部のつなぎは、それぞれ枠又は弧への物質的につながる移行部によって行われる。
【発明を実施するための最良の形態】
【００１４】  図面には本発明による好ましい実施例が示されている。【００１５】  図面では、手動器具特に例えばナイフＭのような手動工具を収容する筒形のケースが、符号１０を付けられている。【００１６】  筒形のケース１０のケース本体Ｋの取付け用の幅広い側１１は、ケース壁範囲１３を持ち、このケース壁範囲１３の下の部分１２の内面１４はほぼ凸にケース空所１５の方へ延び、ケース壁範囲１３の上の部分１６は実質的に直線状に延びている。【００１７】  ケース壁範囲１３は外側に保持手段１７を持ち、この保持手段１７は、ケース壁範囲１３により形成される一次部分１８及び二次部分１９から成っている。一次部分１８及び二次部分１９は、分離可能に互いにはまり合い結合で係合している。二次部分１９は、例えばベルトのような衣服側取付け個所に対応している。本発明には属さない保持手段１７は、ナイフケースに関連してドイツ連邦共和国特許第１９６４９０４０号明細書に記載されている。【００１８】  ケース本体Ｋは、上端部範囲２０及び下端部範囲２１を持っている。【００１９】  上端部範囲２０には、手動器具、この場合ナイフＭ用の差込み開口２３を包囲するカラー２２が属している。差込み開口２３は、異なるナイフＭの多数の差込み体積を考慮するように大きく設定されている。【００２０】  カラー２２の下に、環状に枠２４が続いている。【００２１】  ケース本体Ｋの下端部範囲２１は底から成っている。【００２２】  枠２４と底２５との間に３つの板ばね２６，２７，２８が設けられて、それぞれケース本体Ｋのケース壁範囲に代わり、側方にケース空所１５へ凸に突出するばね隆起２９をそれぞれ形成している。【００２３】  保持手段１７の一次部分１８、ケース壁範囲１３、枠２４を持つカラー２２、底２５及び板ばね２６，２７，２８は、同様にケース壁範囲であり、全体で、一体に物質的につながるポリプロピレン又は他の適当なプラスチックから成るプラスチック射出成形部材Ｋを形成している。プラスチックは、特に板ばね２６，２７，２８へ固有ばね特性を与えるようになっている。板ばね２６，２７，２８の上ばね端部３４は、物質結合により枠２４においてつながれ、その下ばね端部３３は底２５においてつながれている。【００２４】  ケース壁範囲１３；２６，２７，２８の間には縦間隙３５がある。【００２５】  図５及び６により筒形のケース１０の作用が想像できる。【００２６】  図５によれば、ナイフＭが上から差込み方向ｘにケース本体Ｋの差込み開口２３へ導入される。ナイフＭの差込みが進行すると、ナイフＭは側方へ板ばね２６，２７，２８のばね隆起２９に当たり、ケース壁範囲１３の内面１４は支えを形成する。ケース壁範囲２７と１３及びケース壁範囲２６と２８は、交互にかつ／又は全体で一緒に、締付け対として作用する。筒形のケース１０が、異なる断面大きさ及び／又は断面形状の手動工具又はナイフＭのために使用可能である。【００２７】  板ばね２６，２７，２８はそれぞれ外方へ押され、ナイフＭの前面３０が底２５の底面２５へ当たると、場合によってはある程度だけ再び戻る（図６参照）。その際板ばね２６のばね隆起２９は同時にはまり合いでナイフＭの凹所３２へ係合し、板ばね２７，２８は��イフＭの外面に対して弾性的に支持される。【００２８】  こうしてナイフＭはケース空所１５内に確実に保持され、引出し方向ｙへのある程度の引出し力を加える場合にのみ、ケース本体Ｋから取出し可能である。従って図６によれば、ナイフＭは、ケース本体Ｋが使用位置にある時、ある程度の衝撃荷重を受けてもケース本体Ｋ内にまだ確実に収容されている。【００２９】  なお有利な片手操作の際、ナイフＭをケース本体Ｋへ差込み、またケース本体Ｋから取出すことができるようになっている。
【図面の簡単な説明】
【００３０】
【図１】  取付けに用いられる幅広い側を見た筒形ケースの立体図を示す。
【図２】  取付け側とは反対の幅広い側を見た図１の筒形ケースを示す。
【図３】  図１の矢印ＩＩＩの方向に見た筒形ケースの側面図を示す。
【図４】  図３の切断線ＩＶ−ＩＶによる筒形ケースの断面図を示す。
【図５】  ナイフが収容途中にある図２の筒形ケースを示す。
【図６】  ナイフの完全な収容位置にある図２の筒形ケースを示す。
【符号の説明】
【００３１】Ｋ                    ケース本体
Ｍ                    ナイフ
１０                  筒形のケース
１３                  ケース壁範囲
１５                  ケース空所
１７                  保持手段
２０                  上端部範囲
２１                  下端部範囲
２３                  差込み開口
２５                  ケース底
２６，２７，２８      ケース壁範囲
３３                  下ばね端部
３４                  上ばね端部
【図１】
2004243517.tif 000003
【図２】
2004243517.tif 000004
【図３】
2004243517.tif 000005
【図４】
2004243517.tif 000006
【図５】
2004243517.tif 000007
【図６】
2004243517.tif 000008